(57)【特許請求の範囲】
【請求項１】
遊技盤を格納する収納室が額縁状の前枠と前枠の裏側面に固定された金属製のリアプレートとで形成され、遊技盤の裏側に設けられた装置がリアプレートに形成された中央開口部を経由してリアプレートよりも裏側に突出するように、遊技盤が上記収納室に格納され、リアプレートの裏側面の一側部に裏側ヒンジで片開き可能に取り付けられたリアカバーがリアプレートの側に閉じられて、リアプレートの裏側面の他側部に固定されたカバーロック機構のフック部とリアカバーの受部とが互いに係合し、この閉じられたリアカバーが前記リアプレートよりも裏側に突出した遊技盤の裏側の装置を覆う一方、人がロックスライダの操作部を上下方向の一方に操作すると、前記カバーロック機構のフック部とリアカバーの受部との係合が解除して、リアカバーが片開き可能となる遊技機枠体において、カバーロック機構は、金属製のロックスライダと金属製のロックサポータとを互いに上下移動可能に組合わせた構造の複合体が縦長な箱型に形成された合成樹脂製のロックケースの内部に収納されて、ロックスライダのフック部がロックケースの貫通孔よりロックケースの外側に突出し、ロックスライダの操作部がロックケースの切欠部よりロックケースの外側に突出し、金属製のジャンパ線の一端部がロックケースとロックサポータとをロックケースの前側から締結する金属製の止ねじの頭部とロックサポータとで挟まれてロックサポータに固定され、このジャンパ線の中間部がロックケースの切欠部を経由してロックケースの内部より外部に導出され、上記止ねじの頭部をリアプレートの裏側面で非接触に覆う格好でロックケースをリアプレートの裏面側の他側部にリアプレートの裏側から締結する上記止ねじと別の金属製の止ねじの頭部とロックケースとで前記ロックケースの外部に存在するジャンパ線の他端部が挟まれて固定されたことを特徴とする遊技機枠体の除電装置。
【請求項２】
カバーロック機構のフック部とリアカバーの受部とを互いに係合する方向のばね力をロックスライダに与えた金属製のロックばねがロックスライダに形成したばね止部とロックサポータに形成したばね止部とに掛け止められたことを特徴とする請求項１記載の遊技機枠体の除電装置。
【請求項３】
前枠の裏側には島側電源に接続された電源プラグからの交流を遊技機で使用する直流に変換する電源装置を備え、電源装置は交直変換部およびサージアブソーバを内蔵した金属製のケースが金属製の止ねじでリアプレートの裏側に接触して固定され、当該止ねじは交直変換部及びサージアブソーバを実装する回路基板のアース端子をケースに止めるねじを兼用したことを特徴とする請求項１記載の遊技機枠体の除電装置。
【発明の詳細な説明】
【０００１】
【発明の属する技術分野】
本発明はパチンコ機やスロットマシン等の遊技機における遊技機枠体に発生した静電気を除去する除電装置に関する。
【０００２】
【従来の技術】
遊技機枠体では異種材質である２つの部材が互いに擦れる部分が多数存在しているため、球を発射する動作や賞球を払出す動作により係る２部材相互での接触後の分離や剥離及び摩擦に起因する静電気が多量に発生する可能性がある。
【０００３】
【発明が解決しようとする課題】
上記のような静電気が発生すると、ＣＰＵやＲＯＭ及びＲＡＭ等よりなるコンピュータや半導体装置等を用いた遊技制御処理に悪影響を及ぼすノイズが配線を通して当該遊技制御処理を行う制御装置に取込まれる可能性があり、係るノイズが制御装置に侵入すると、遊技制御処理が異常となり、適正な遊技を継続できない可能性がある。
【０００４】
そこで、本発明は静電気の除去が図れる遊技機枠体を提供するものである。
【０００５】
【課題を解決するための手段】
本発明にあっては、遊技盤を格納する収納室が額縁状の前枠と前枠の裏側面に固定された金属製のリアプレートとで形成され、遊技盤の裏側に設けられた装置がリアプレートに形成された中央開口部を経由してリアプレートよりも裏側に突出するように、遊技盤が上記収納室に格納され、リアプレートの裏側面の一側部に裏側ヒンジで片開き可能に取り付けられたリアカバーがリアプレートの側に閉じられて、リアプレートの裏側面の他側部に固定されたカバーロック機構のフック部とリアカバーの受部とが互いに係合し、この閉じられたリアカバーが前記リアプレートよりも裏側に突出した遊技盤の裏側の装置を覆う一方、人がロックスライダの操作部を上下方向の一方に操作すると、前記カバーロック機構のフック部とリアカバーの受部との係合が解除して、リアカバーが片開き可能となる遊技機枠体において、カバーロック機構は、金属製のロックスライダと金属製のロックサポータとを互いに上下移動可能に組合わせた構造の複合体が縦長な箱型に形成された合成樹脂製のロックケースの内部に収納されて、ロックスライダのフック部がロックケースの貫通孔よりロックケースの外側に突出し、ロックスライダの操作部がロックケースの切欠部よりロックケースの外側に突出し、金属製のジャンパ線の一端部がロックケースとロックサポータとをロックケースの前側から締結する金属製の止ねじの頭部とロックサポータとで挟まれてロックサポータに固定され、このジャンパ線の中間部がロックケースの切欠部を経由してロックケースの内部より外部に導出され、上記止ねじの頭部をリアプレートの裏側面で非接触に覆う格好でロックケースをリアプレートの裏面側の他側部にリアプレートの裏側から締結する上記止ねじと別の金属製の止ねじの頭部とロックケースとで前記ロックケースの外部に存在するジャンパ線の他端部が挟まれて固定されたことによって、ロックスライダがロックケースのような異種部材との接触後の分離や剥離及び摩擦に起因して静電気を発生した場合、この発生した静電気はロックスライダからロックサポータと止ねじとジャンパ線及び止ねじを順に経由してリアプレートに適切に逃がされる。また、本発明にあっては、カバーロック機構のフック部とリアカバーの受部とを互いに係合する方向のばね力をロックスライダに与えた金属製のロックばねがロックスライダに形成したばね止部とロックサポータに形成したばね止部とに掛け止められれば、ロックスライダからロックサポータへ静電気の流れる経路を増やすことができる。また、本発明にあっては、前枠の裏側には島側電源に接続された電源プラグからの交流を遊技機で使用する直流に変換する電源装置を備え、電源装置は交直変換部およびサージアブソーバを内蔵した金属製のケースが金属製の止ねじでリアプレートの裏側に接触して固定され、当該止ねじは交直変換部及びサージアブソーバを実装する回路基板のアース端子をケースに止めるねじを兼用すれば、リアプレートに帯電された静電気の量が所定値を越えた場合、静電気はリアプレートからサージアブソーバ及び電源プラグを経由して島側電源に逃がされる。
【０００６】
【発明の実施の形態】
図１〜図５は一実施形態であって、図１は遊技機枠体１の裏側の外観を示し、図２は前枠３とカバーロック機構１３とを分解して示し、図３はカバーロック機構１３を分解して示し、図４はジャンパ線３１周りを示し、図５は遊技機枠体１の平面を示す。
【０００７】
図１を参照し、遊技機枠体１の裏側について説明する。遊技機枠体１はパチンコ店の島に固定される額縁状の図５の外枠２に額縁状の前枠３を図５の枠ヒンジ４で前方横方向に片開き可能に取付け、前枠３の裏側面に前枠３の補強部材として固定された金属製のリアプレート５を固定し、リアプレート５の上部に上タンク６及び下タンク７を備え、リアプレート５の一側部に球払出機構８を図２の裏側ヒンジ９で片開き可能に取付け、球払出機構８に透視性の有る合成樹脂よりなるリアカバー１０を固定し、リアカバー１０に受部１１を備え、リアプレート５の他側部に枠ロック機構１２及びカバーロック機構１３を備え、リアプレート５の下部に球樋１４を固定し、球樋１４の裏側面に球発射制御装置１５及び球払出制御装置１６を備える。カバーロック機構１３には静電気除去手段として針金のようなジャンパ線３１を備える。前枠３は外枠２を介して島に前方横方向に片開き可能に取付けられる枠体であって、自由端側に枠ロック機構１２を係合・解除するための枠施錠装置１７を備える。外枠２を省略し、前枠３を島に枠ヒンジ４で前方横方向に片開き可能に取付けても良い。
【０００８】
そして、作業者が鍵１８をカバーロック機構１３の錠前１９の鍵穴２０に挿入し一方向に例えば９０度回転操作すると、錠前１９が鍵１８で開錠する。この錠前１９の開錠により、錠前１９がカバーロック機構１３の固定を解除する。つまり、錠前１９が鍵１８で開錠されると、錠前１９に設けられた図３のカム４０がロックスライダ２６の下方への移動を可能とする。この錠前１９が鍵１８で開錠されると共にロックスライダ２６の下方への移動が可能となった状態を錠前１９によるカバーロック機構１３の解除という。カバーロック機構１３が解除された状態において、図３のロックばね３５のばね力に抗して操作部４１を人為的に押下げると、カバーロック機構１３のフック部２８とリアカバー１０の受部１１との係合が解除(アンロック）し、作業者がリアカバー１０を裏側に引くと、リアカバー１０が球払出機構８を介して裏側に片開きされる。
【０００９】
リアカバー１０が開かれた状態において、作業者がリアカバー１０を前側に押し、リアカバー１０を球払出機構８を介して前側に閉じると、フック部２８と受部１１とが係合(ロック)し、カバーロック機構１３がリアカバー１０とリアプレート５とを係合する。この状態において、作業者が錠前１９を上記とは逆方向に９０度回転操作すると、錠前１９が鍵１８で施錠する。つまり、錠前１９が鍵１８で施錠されると、錠前１９に設けられた図３のカム４０がロックスライダ２６の下方への移動を阻止し、リアカバー１０が前枠３に開閉不能に閉じられる。この錠前１９が鍵１８で施錠されると共にロックスライダ２６の下方への移動が阻止された状態を錠前１９によるカバーロック機構１３の固定という。
【００１０】
前枠３とリアプレート５とで囲まれた収納室に図５の遊技盤５０を格納すると、遊技盤５０は裏側に取付けられた図外の主制御装置、図柄制御装置を含む図柄表示装置、音制御装置及び表示灯制御装置がリアプレート５の中央開口部５ａより裏側に突出する。これらの主制御装置、図柄制御装置を含む図柄表示装置、音制御装置、表示灯制御装置並びに前枠３に取付けられた球発射制御装置１５や球払出制御装置１６は、閉じたリアカバー１０で覆われるので、上記制御装置に対するＲＯＭを不正ＲＯＭに交換する等の不正行為を防止することができる。
【００１１】
図２を参照し、前枠３へのカバーロック機構１３の取付構造について説明する。カバーロック機構１３は図４にも示すように縦長な箱型に形成された合成樹脂製のロックケース２５と金属製のロックサポータ２７とを金属製の止ねじ３０で締結する際、ジャンパ線３１の一端部がロックサポータ２７に接続されるように止ねじ３０でロックサポータ２７に固定される。ジャンパ線３１の中間部がロックケース２５の切欠部２５ａを経由してロックケース２５の内部より外部に導出され、ロックケース２５の外部に存在するジャンパ線３１の他端部がロックケース２５をリアプレート５に締結する金属製の止ねじ３２に接続されるように止ねじ３２の頭部とロックケース２５とで挟まれた格好で固定される。
【００１２】
リアプレート５の裏側には交流を遊技機で使用する直流に変換する電源装置９０を備える。電源装置９０は交直変換部９１及びアレスタやバリスタ等のサージアブソーバ９２並びにその他電気部品等を内蔵した金属製のケースが金属製の止ねじ９３でリアプレート５に接触し固定される。電源装置９０のケースにはアース線９５が金属製の止ねじ９６で配線される。止ねじ９６は交直変換部９１及びサージアブソーバ９２並びにその他電気部品を実装するプリント回路基板のような回路基板のアース端子をケースに止めるねじを兼用する。電源装置９０の電源プラグ９７は島トランスのようなＡＣ２４ボルトを出力する島側電源９８に接続される。
【００１３】
図３を参照し、カバーロック機構１３の内部構造について説明する。金属製のロックスライダ２６に形成された長孔３３とロックサポータ２７に突設された突起３４とが移動可能に嵌め込まれることにより、ロックスライダ２６とロックサポータ２７とが互いに組合わされる。そして、コイルスプリングのような金属製のロックばね３５の一端部がロックスライダ２６に形成されたばね止部３６に掛け止められ、ロックばね３５の他端部がロックサポータ２７に形成されたばね止部３７に掛け止められることにより、ロックばね３５がロックスライダ２６に上向きのばね力を与える。又、錠前１９がロックサポータ２７に形成された異形孔３８に回転不能に嵌め込まれ、ロックサポータ２７よりロックスライダ２６の方に突出した錠前１９の中間部に形成された溝１９ａに止具３９を装着することにより、錠前１９がロックサポータ２７に固定される。止具３９よりロックスライダ２６の方に突出した錠前１９の先端部に回転可能に設けられたカム４０はロックサポータ２７と干渉せずにロックスライダ２６と対応する。
【００１４】
このように組立てられたロックスライダ２６とロックサポータ２７及び錠前１９からなる複合体がロックケース２５の内部に収納されることにより、ロックスライダ２６に形成されたフック部２８がロックケース２５に形成された貫通孔２９よりロックケース２５の外側に突出し、ロックスライダ２６に形成された操作部４１がロックケース２５に形成された切欠部２５ａよりロックケース２５の外側に突出し、錠前１９がロックケース２５の一側壁に形成された切欠部４２に配置される。それから、ジャンパ線３１の一端部がロックサポータ２７に重ね合せられ、止ねじ３０がジャンパ線３１の一端部よりロックサポータ２７の貫通孔４３を経由してロックケース２５のねじ孔４４に締結されることにより、ジャンパ線３１の一端部がロックサポータ２７と止ねじ３０の頭部とで挟まれた格好で固定されてロックサポータ２７に接続する。上記以外の止ねじ４５がロックサポータ２７の貫通孔４６を経由してロックケース２５のねじ孔４７に締結される。これよって、複合体がロックケース２５に固定される。ロックケース２５には錠前１９と対応する他側壁に緊急取外用孔４８を形成し、錠前１９が故障したり図１の鍵１８を紛失した場合に緊急取外用孔４８を利用して止具３９を取外すことにより、錠前１９がロックサポータ２７より取外せるようになっている。
【００１５】
実施形態の構造によれば、遊技機枠体１の内部に図５の遊技盤５０を装着した状態において、店員が電源装置９０の電源スイッチをオン操作すると、ＡＣ２４ボルトの交流電源が島側電源９８より電源装置９０に供給され、電源装置９０の交直変換部９１が島側電源９８から受電した交流電源を変換したＤＣ２４ボルトやＤＣ１２ボルト及びＤＣ５ボルトのような定電圧電源それぞれを配線により前枠３の裏側や遊技盤５０の裏側に設けられた図外の主制御装置、特別図柄制御装置、表示灯制御装置、音制御装置、球払出制御装置１６、球発射制御装置１５の機能別に分別構成された複数の制御装置に出力する。そして、遊技者が図５の上皿装置５１に球を入れ、図５のハンドルグリップ５２を操作すると、図外の球発射機構が上皿装置５１より供給された球を発射する。この発射された打球は図外の球発射レールより遊技盤５０の側に飛出す。この遊技盤５０の側に飛出した球が遊技盤５０の前面である意匠盤面を流下する過程で遊技盤５０に設けられた入賞口に入賞すると、球払出機構８が駆動して賞球を払出す。
【００１６】
前記球発射動作や賞球払出動作に伴う振動によりカバーロック機構１３のロックスライダ２６がロックケース２５のような異種部材との接触後の分離や剥離及び摩擦に起因して静電気を発生した場合、この発生した静電気はカバーロック機構１３のロックスライダ２６からロックばね３５とロックサポータ２７と止ねじ３０とジャンパ線３１及び止ねじ３２を順に経由してリアプレート５に適切に逃がすことができる。リアプレート５に帯電された静電気はリアプレート５から大気に除々に自然に放電されるが、リアプレート５の帯電量が絶縁破壊量を超えた場合、近くの放電を受け易いものとの間で急激な気中放電が起って電磁波が発生する。その電磁波の発生を抑えるためにリアプレート５に帯電された静電気の量が所定値を越えた場合、静電気はリアプレート５からサージアブソーバ９２及び電源プラグ９７を経由して島側電源９８に逃がされる。
【００１７】
前記実施形態では前枠３に装着される遊技構成主体が遊技盤５０であるパチンコ機を示したが、前枠３に装着される遊技構成主体を図柄表示装置したスロットマシンにも同様に適用可能である。
【図面の簡単な説明】
【図１】  一実施形態の前枠の裏側を示す斜視図。
【図２】  同実施形態の前枠の裏側を示す模式図。
【図３】  同実施形態のカバーロック機構を示す分解斜視図。
【図４】  同実施形態のジャンパ線周りを示す断面図。
【図５】  同実施形態の遊技機枠体を示す平面図。
【符号の説明】
３  前枠
１３  カバーロック機構
３１  ジャンパ線
【図１】
0004021626.tif 000002
【図２】
0004021626.tif 000003
【図３】
0004021626.tif 000004
【図４】
0004021626.tif 000005
【図５】
0004021626.tif 000006